(57)【要約】【課題】ユーザが所望する部位を加熱及び冷却する。【解決手段】加熱冷却装置１００は、加熱冷却部２を備える。加熱冷却部２は、第１加熱冷却部２１と第２加熱冷却部とを有する。第１加熱冷却部２１は、熱源２１１と加熱冷却板２１２とを有する。第２加熱冷却部２２は、熱源２２１と加熱冷却板２２２とを有する。熱源２１１、２２１は、吸熱及び発熱して、加熱冷却板２１２、２２２を加熱及び冷却する。加熱冷却板２１２、２２２は、人体６の一部に接触して、人体６の一部を加熱及び冷却する。熱源２１１と加熱冷却板２１１とは一体に形成される。熱源２２１と加熱冷却板２１２とは一体に形成される。加熱冷却部２は、人体６が着座する着座部材のうちの人体６の一部が載置される箇所に着脱自在に構成される。【選択図】図１
2019141283.tif 000002
【特許請求の範囲】
【請求項１】
熱源と加熱冷却板とを有する加熱冷却部を備え、
前記熱源は、吸熱及び発熱して、前記加熱冷却板を加熱及び冷却し、
前記加熱冷却板は、人体の一部に接触して、前記人体の一部を加熱及び冷却し、
前記熱源と前記加熱冷却板とは一体に形成され、
前記加熱冷却部は、前記人体が着座する着座部材のうちの前記人体の一部が載置される箇所に着脱自在に構成される、加熱冷却装置。
【請求項２】
複数個の前記加熱冷却部を更に備え、
前記複数個の加熱冷却部は、前記着座部材のうちの前記人体の一部が載置される箇所に着脱自在に構成される、請求項１に記載の加熱冷却装置。
【請求項３】
前記人体の一部は、前記人体の足元部、脚部、股部、臀部、腰部、手元部、背中部、腕部、脇部及び頸部の少なくとも１つを含み、
装着箇所に前記人体の一部のうちのどの部位が載置されるかを検出する第１検出部と、
前記熱源を制御する温度制御部と
を更に備え、
前記装着箇所は、前記着座部材において前記加熱冷却部が装着されている箇所を示し、
前記温度制御部は、前記第１検出部の検出結果に応じて、前記熱源を制御する、請求項１又は請求項２に記載の加熱冷却装置。
【請求項４】
前記装着箇所に前記人体の足元部又は股部が載置されると前記第１検出部が検出した場合に、前記温度制御部は、前記熱源が発熱するように制御し、
前記装着箇所に前記人体の脇部又は頸部が載置されると前記第１検出部が検出した場合に、前記温度制御部は、前記熱源が吸熱するように制御する、請求項３に記載の加熱冷却装置。
【請求項５】
外気温を検出する第２検出部を更に備え、
前記温度制御部は、前記第２検出部の検出結果に応じて、前記熱源を制御する、請求項３又は請求項４に記載の加熱冷却装置。
【請求項６】
前記外気温が第１温度未満である場合に、前記温度制御部は、前記加熱冷却板の温度が第２温度以上、且つ第３温度未満になるように前記熱源を制御し、
前記第３温度は、前記第２温度よりも高く、
前記温度制御部は、前記外気温と前記人体の体温とに基づいて、前記第２温度と前記第３温度とを決定する、請求項５に記載の加熱冷却装置。
【請求項７】
前記外気温が第１温度以上である場合に、前記温度制御部は、前記加熱冷却板の温度が第４温度以上、且つ第５温度未満になるように前記熱源を制御し、
前記第５温度は、前記第４温度よりも高く、
前記温度制御部は、前記外気温と前記人体の体温とに基づいて、前記第４温度と前記第５温度とを決定する、請求項５又は請求項６に記載の加熱冷却装置。
【発明の詳細な説明】
【技術分野】
【０００１】
本発明は、人体の一部を加熱及び冷却する加熱冷却装置に関する。
【背景技術】
【０００２】
特許文献１の乳母車用のシートは、座部平材と、背もたれ平材と、発熱手段とを備える。座部平材は、幼児の腰を支持する。背もたれ平材は、幼児の背中を支持する。発熱手段は、座部平材と背もたれ平材との各々に内蔵して配置される。発熱手段は、幼児の腰部及び背中を温める。
【先行技術文献】
【特許文献】
【０００３】
【特許文献１】特開２００７−３２６５４６号公報
【発明の概要】
【発明が解決しようとする課題】
【０００４】
しかしながら、特許文献１に記載の乳母車用のシートでは、発熱手段が乳母車用のシートの座部平材と背もたれ平材とに固定されている。したがって、ユーザが所望する部位（例えば、足元部）を温めることはできない。
【０００５】
本発明は、上記課題に鑑みてなされたものであり、ユーザが所望する部位を加熱及び冷却することが可能な加熱冷却装置を提供することを目的としている。
【課題を解決するための手段】
【０００６】
本発明に係る加熱冷却装置は、加熱冷却部を備える。前記加熱冷却部は、熱源と加熱冷却板とを有する。前記熱源は、吸熱及び発熱して、前記加熱冷却板を加熱及び冷却する。前記加熱冷却板は、人体の一部に接触して、前記人体の一部を加熱及び冷却する。前記熱源と前記加熱冷却板とは一体に形成される。前記加熱冷却部は、前記人体が着座する着座部材のうちの前記人体の一部が載置される箇所に着脱自在に構成される。
【発明の効果】
【０００７】
本発明に係る加熱冷却装置によれば、ユーザが所望する部位を加熱及び冷却することができる。
【図面の簡単な説明】
【０００８】
【図１】本発明の実施形態に係る加熱冷却装置の構成の一例を示す図である。
【図２】熱源の構成の一例を示す図である。
【図３】車両の構成の一例を示す側面図である。
【図４】本発明の実施形態に係る制御部の構成の一例を示す図である。
【図５】制御部の第１処理の一例を示すフローチャートである。
【図６】制御部の第１処理の別の一例を示すフローチャートである。
【図７】制御部の第２処理の一例を示すフローチャートである。
【図８】足元部が載置される装着部に配置された加熱冷却装置の一例を示す図である。
【図９】股部が載置される装着部に配置された加熱冷却装置の一例を示す図である。
【図１０】脇部が載置される装着部に配置された加熱冷却装置の一例を示す図である。
【図１１】頸部が載置される装着部に配置された加熱冷却装置の一例を示す図である。
【発明を実施するための形態】
【０００９】
以下、本発明の実施形態について、図面（図１〜図１１）を参照しながら説明する。なお、図中、同一又は相当部分については同一の参照符号を付して説明を繰り返さない。
【００１０】
まず、図１を参照して、本発明の実施形態に係る加熱冷却装置１００の構成について説明する。図１は、加熱冷却装置１００の構成の一例を示す図である。図１に示すように、加熱冷却装置１００は、制御部１、加熱冷却部２及び蓄電池３を備える。
【００１１】
制御部１は、加熱冷却装置１００の動作を制御する。制御部１は、プロセッサ１１及び記憶部１２を備える。プロセッサ１１は、例えばＣＰＵ（Ｃｅｎｔｒａｌ  Ｐｒｏｃｅｓｓｉｎｇ  Ｕｎｉｔ）を備える。記憶部１２は、半導体メモリーのようなメモリーを備え、ＨＤＤ（Ｈａｒｄ  Ｄｉｓｋ  Ｄｒｉｖｅ）を備えてもよい。記憶部１２は、制御プログラムを記憶している。
【００１２】
加熱冷却部２は、人体６が着座する着座部材のうちの人体６の一部Ｐが載置される箇所に着脱自在に構成される。人体６の一部Ｐは、人体６の足元部６１、脚部６２、股部６３、臀部６４、腰部６５、手元部６６、背中部６７、腕部６８、脇部６９及び頸部６１０を含む。足元部６１、脚部６２、股部６３、臀部６４、腰部６５、手元部６６、背中部６７、腕部６８、脇部６９及び頸部６１０ついては、後述にて図３を参照して詳細に説明する。人体６は、車両４の着座部材に着座する。人体６は、例えば乳幼児の体を示す。加熱冷却部２は、第１加熱冷却部２１と第２加熱冷却部２２とを備える。
【００１３】
第１加熱冷却部２１は、熱源２１１と、加熱冷却板２１２と、熱交換部２１３とを有する。第２加熱冷却部２２は、熱源２２１と、加熱冷却板２２２と、熱交換部２２３とを有する。
【００１４】
熱源２１１は、吸熱及び発熱して、加熱冷却板２１２を加熱及び冷却する。熱源２２１は、吸熱及び発熱して、加熱冷却板２２２を加熱及び冷却する。熱源２１１及び熱源２２１の各々は、例えば、ペルチェ素子を備える。熱源２１１及び熱源２２１の各々の構成については、後述にて図２を参照して詳細に説明する。
【００１５】
加熱冷却板２１２及び加熱冷却板２２２の各々は、人体６の一部Ｐに接触して、人体６の一部Ｐを加熱及び冷却する。
【００１６】
熱交換部２１３は、加熱冷却板２１２と大気との間で熱交換する。熱交換部２２３は、加熱冷却板２２２と大気との間で熱交換する。熱交換部２１３と熱交換部２２３とは略同一の構成を有するため、以下の説明では、熱交換部２１３について具体的に説明する。加熱冷却板２１２が人体６の一部Ｐを冷却する場合には、熱交換部２１３は、大気に対して放熱する。加熱冷却板２１２が人体６の一部Ｐを加熱する場合には、熱交換部２１３は、大気から吸熱する。熱交換部２１３は、例えば、フィン及びファンを有し、大気との間の熱交換を効率的に行う。
【００１７】
蓄電池３は、制御部１、熱源２１１及び熱源２２１に電力を供給する。
【００１８】
以上、図１を参照して説明したように、本発明の実施形態では、加熱冷却部２は、人体６が着座する着座部材のうちの人体６の一部Ｐが載置される箇所に着脱自在に構成される。人体６の一部Ｐは、例えば、人体６の足元部６１、脚部６２、股部６３、臀部６４、腰部６５、手元部６６、背中部６７、腕部６８、脇部６９及び頸部６１０を示す。また、加熱冷却板２１２及び加熱冷却板２２２の各々が、人体６の一部Ｐを加熱及び冷却する。したがって、人体６の一部Ｐのうちのユーザが所望する部位を加熱及び冷却することができる。
【００１９】
また、複数の加熱冷却部（第１加熱冷却部２１及び第２加熱冷却部２２）が、人体６の一部Ｐ（例えば、足元部６１）を加熱又は冷却する。したがって、人体６の一部Ｐのうちのユーザが所望する部位を効率的に加熱及び冷却することができる。
【００２０】
なお、本発明の実施形態では、加熱冷却装置１００が２つの加熱冷却部（第１加熱冷却部２１及び第２加熱冷却部２２）を備えるが、本発明はこれに限定されない。加熱冷却装置１００が複数の加熱冷却部を備えればよい。例えば、加熱冷却装置１００が３つ以上の加熱冷却部を備えてもよい。
【００２１】
次に、図２を参照して、熱源２１１及び熱源２２１の各々の構成について説明する。図２は、熱源の構成の一例を示す図である。以下の説明では、熱源２１１及び熱源２２１の各々を熱源８と記載する場合がある。図２に示すように、熱源８は、ペルチェ素子を含む。具体的には、熱源８は、第１金属電極８１と、第２金属電極８２と、第３金属電極８３と、ｐ型半導体８４と、ｎ型半導体８５と、第１板状部材８６と、第２板状部材８７とを備える。
【００２２】
第１板状部材８６と、第２板状部材８７とは、互いに平行に配置される。第１板状部材８６及び第２板状部材８７の各々は、金属板で形成される。第１板状部材８６の第２板状部材８７に近接する側（下側）の面には、第２金属電極８２が固定される。第２板状部材８７の第１板状部材８６に近接する側（上側）の面には、第１金属電極８１と、第３金属電極８３とが互いに離間して固定される
【００２３】
ｐ型半導体８４は、第１金属電極８１と第２金属電極８２との間に配置される。すなわち、ｐ型半導体８４の下面は第１金属電極８１に固定され、ｐ型半導体８４の上面は第２金属電極８２に固定される。ｎ型半導体８５は、第２金属電極８２と第３金属電極８３との間に配置される。すなわち、ｎ型半導体８５の下面は第３金属電極８３に固定され、ｎ型半導体８５の上面は第２金属電極８２に固定される。
【００２４】
図２に示すように、第１金属電極８１を蓄電池３のマイナス電極に接続し、第３金属電極８３を蓄電池３のプラス電極に接続した場合には、以下のように発熱及び吸熱が発生する。すなわち、電子は、第１金属電極８１、ｐ型半導体８４、第２金属電極８２、ｎ型半導体８５及び第３金属電極８３の順に流れる。そして、第１金属電極８１からｐ型半導体８４に電子が移動する接合面では発熱が発生し、ｎ型半導体８５から第３金属電極８３に電子が移動する接合面では発熱が発生する。また、ｐ型半導体８４から第２金属電極８２に電子が移動する接合面では吸熱が発生し、第２金属電極８２からｎ型半導体８５に電子が移動する接合面では吸熱が発生する。このようにして、第１金属電極８１及び第３金属電極８３が発熱し、第２金属電極８２が吸熱する。その結果、第２板状部材８７が加熱され、第１板状部材８６が冷却される。
【００２５】
一方、第１金属電極８１を蓄電池３のプラス電極に接続し、第３金属電極８３を蓄電池３のマイナス電極に接続した場合には、以下のように発熱及び吸熱が発生する。すなわち、電子は、第３金属電極８３、ｎ型半導体８５、第２金属電極８２、
ｐ型半導体８４及び第１金属電極８１の順に流れる。そして、ｐ型半導体８４から第１金属電極８１に電子が移動する接合面では吸熱が発生し、第３金属電極８３からｎ型半導体８５に電子が移動する接合面では吸熱が発生する。また、第２金属電極８２からｐ型半導体８４に電子が移動する接合面では発熱が発生し、ｎ型半導体８５から第２金属電極８２に電子が移動する接合面では発熱が発生する。このようにして、第１金属電極８１及び第３金属電極８３が吸熱し、第２金属電極８２が発熱する。その結果、第１板状部材８６が加熱され、第２板状部材８７が冷却される。
【００２６】
以上、図１及び図２を参照して説明したように、熱源２１１及び熱源２２１の各々は、印加する電圧の向きを変更することによって、加熱面と冷却面とを逆にすることができる。したがって、加熱冷却板２１２及び加熱冷却板２２２の各々を容易に加熱及び冷却することができる。
【００２７】
次に、図１〜図３を参照して、加熱冷却装置１００が配置される車両４の構成について説明する。図３は、車両４の構成の一例を示す側面図である。図３に示すように、車両４は、背もたれ部４１と、座面部４２と、脚部４３と、手すり部４４を備える。車両４は、例えば、ベビーカーである。背もたれ部４１と座面部４２とは、「着座部材」の一例に相当する。
【００２８】
座面部４２は、人体６の足元部６１、脚部６２、股部６３及び臀部６４を支持する。座面部４２は、略水平に配置される。座面部４２は、第１装着部４０１、第２装着部４０２、第３装着部４０３及び第４装着部４０４を有する。第１装着部４０１、第２装着部４０２、第３装着部４０３及び第４装着部４０４の各々には、加熱冷却装置１００が着脱可能に構成される。第１装着部４０１には、足元部６１が載置される。第２装着部４０２には、脚部６２が載置される。第３装着部４０３には、股部６３が載置される。第４装着部４０４には、臀部６４が載置される。
【００２９】
座面部４２には、ＩＣ（Ｉｎｔｅｇｒａｔｅｄ  Ｃｉｒｃｕｉｔ）タグ７１、ＩＣタグ７２、ＩＣタグ７３、ＩＣタグ７４が配置される。ＩＣタグ７１は、第１装着部４０１に配置される。ＩＣタグ７１は、足元部６１を示す識別情報ＪＤ１を記憶している。ＩＣタグ７２は、第２装着部４０２に配置される。ＩＣタグ７２は、脚部６２を示す識別情報ＪＤ２を記憶している。ＩＣタグ７３は、第３装着部４０３に配置される。ＩＣタグ７３は、股部６３を示す識別情報ＪＤ３を記憶している。ＩＣタグ７４は、第４装着部４０４に配置される。ＩＣタグ７３は臀部６４を示す識別情報ＪＤ４を記憶している。
【００３０】
背もたれ部４１は、人体６の腰部６５、背中部６７、腕部６８、脇部６９及び頸部６１０を支持する。背もたれ部４１は、座面部４２の一方側端部から斜め上方向に傾斜して配置される。背もたれ部４１は、第５装着部４０５、第７装着部４０７、第８装着部４０８、第９装着部４０９及び第１０装着部４１０を有する。第５装着部４０５、第７装着部４０７、第８装着部４０８、第９装着部４０９及び第１０装着部４１０の各々には、加熱冷却装置１００が着脱可能に構成される。第５装着部４０５には、腰部６５が載置される。第７装着部４０７には、背中部６７が載置される。第８装着部４０８には、腕部６８が載置される。第９装着部４０９には、脇部６９が載置される。第１０装着部４１０には、頸部６１０が載置される。背もたれ部４１において人体６が載置される側から離間する側には、温度センサＳが配置される。温度センサＳは、外気温ＴＡを検出する。温度センサＳは、例えばサーミスタである。
【００３１】
また、背もたれ部４１には、ＩＣタグ７５、ＩＣタグ７７、ＩＣタグ７８、ＩＣタグ７９及びＩＣタグ７１０が配置される。ＩＣタグ７５は、第５装着部４０５に配置される。ＩＣタグ７５は、腰部６５を示す識別情報ＪＤ５を記憶している。ＩＣタグ７７は、第７装着部４０７に配置される。ＩＣタグ７７は、背中部６７を示す識別情報ＪＤ７を記憶している。ＩＣタグ７８は、腕部６８を示す識別情報ＪＤ８を記憶している。ＩＣタグ７８は、腕部６８を示す識別情報ＪＤ８を記憶している。ＩＣタグ７９は、第９装着部４０９に配置される。ＩＣタグ７９は、脇部６９を示す識別情報ＪＤ９を記憶している。ＩＣタグ７１０は、第１０装着部４１０に配置される。ＩＣタグ７１０は、頸部６１０を示す識別情報ＪＤ１０を記憶している。
【００３２】
脚部４３は、背もたれ部４１と、座面部４２とを支持する。脚部４３には、車輪が配置される。
【００３３】
手すり部４４は、人体６の手元部６６を支持する。手すり部４４は、背もたれ部４１によって支持される。手すり部４４は、背もたれ部４１の中央部から前方（図３では左側）に突出して配置される。手すり部４４は、第６装着部４０６を有する。第６装着部４０６には、加熱冷却装置１００が着脱可能に構成される。第６装着部４０６には、手元部６６が載置される。また、手すり部４４には、ＩＣタグ７６が配置される。ＩＣタグ７６は、手元部６６を示す識別情報ＪＤ６を記憶している。以下の説明において、ＩＣタグ７１〜ＩＣタグ７１０の各々をＩＣタグ７と総称する場合がある。また、識別情報ＪＤ１〜識別情報ＪＤ１０の各々を識別情報ＪＤと総称する場合がある。第１装着部４０１〜第１０装着部４１０の各々を、装着部４０と総称する場合がある。第１装着部４０１〜第１０装着部４１０の各々は、「装着箇所」の一例に相当する。
【００３４】
なお、本発明の実施形態では、車両４がベビーカーである場合について説明するが、本発明はこれに限定されない。車両４が、人体６を積載する車両であればよい。例えば、車両４が、車いすでもよい。
【００３５】
次に、図１〜図４を参照して、本発明の実施形態に係る制御部１の構成について説明する。図４は、制御部１の構成の一例を示す図である。図４に示すように、制御部１は、第１検出部１１１、第２検出部１１２及び温度制御部１１３を備える。具体的には、制御部１のプロセッサ１１が制御プログラムを実行することによって、第１検出部１１１、第２検出部１１２及び温度制御部１１３として機能する。制御部１は、リーダ１３を更に備える。
【００３６】
リーダ１３は、ＩＣタグ７から識別情報ＪＤを読み出す。リーダ１３は、例えば、ＩＥＥＥ８０２．１５で規定される近距離無線通信（具体的には、Ｂｌｕｅｔｏｏｔｈ（登録商標））を介して、ＩＣタグ７から識別情報ＪＤを読み出す。
【００３７】
第１検出部１１１は、リーダ１３を介してＩＣタグ７から識別情報ＪＤを取得する。第１検出部１１１は、識別情報ＪＤに基づき、装着部４０に人体６の一部Ｐのうちのどの部位が載置されるかを検出する。装着部４０は、加熱冷却部２が装着される箇所を示す。具体的には、第１検出部１１１は、第１装着部４０１〜第１０装着部４１０のうちのどの装着部４０に加熱冷却部２が装着されているかを検出する。
【００３８】
第２検出部１１２は、温度センサＳを介して外気温ＴＡを検出する。
【００３９】
温度制御部１１３は、第１検出部１１１の検出結果に応じて、熱源２１１及び熱源２２１を制御する。具体的には、足元部６１又は股部６３が載置される箇所に加熱冷却部２が装着されていると第１検出部１１１が検出した場合に、温度制御部１１３は、熱源２１１及び熱源２２１が発熱するように制御する。また、脇部６９又は頸部６１０が載置される箇所に加熱冷却部２が装着されていると第１検出部１１１が検出した場合に、温度制御部１１３は、熱源２１１及び熱源２２１が吸熱するように制御する。温度制御部１１３は、第２検出部１１２の検出結果に応じて、熱源２１１及び熱源２２１を制御する。
【００４０】
以上、図１〜図４を参照して説明したように、本発明の実施形態では、加熱冷却部２が、人体６のどの部位が載置される箇所に装着されているかを検出し、検出結果に応じて熱源２１１及び熱源２２１を制御する。したがって、載置される部位に適した熱源２１１及び熱源２２１の制御を行うことが可能になる。
【００４１】
次に、図１〜図５を参照して、本発明の実施形態に係る制御部１の処理について説明する。図５は、制御部１の「第１処理」の一例を示すフローチャートである。「第１処理」は、第１検出部１１１の検出結果に基づく処理を示す。
図５に示すように、まず、ステップＳ１０１において、第１検出部１１１がＩＣタグ７から識別情報ＪＤを取得する。
次に、ステップＳ１０３において、第１検出部１１１は、識別情報ＪＤに基づいて、足元部６１又は股部６３が載置される装着部４０（＝第３装着部４０３又は第３装着部４０３）に加熱冷却部２が装着されているか否かを判定する。
足元部６１又は股部６３が載置される装着部４０に加熱冷却部２が装着されていないと第１検出部１１１が判定した場合（ステップＳ１０３でＮＯ）には、処理がステップＳ１０７に進む。足元部６１又は股部６３が載置される装着部４０に加熱冷却部２が装着されていると第１検出部１１１が判定した場合（ステップＳ１０３でＹＥＳ）には、処理がステップＳ１０５に進む。
そして、ステップＳ１０５において、温度制御部１１３は、熱源２１１及び熱源２２１が発熱するように制御し、処理が終了する。
【００４２】
ステップＳ１０３でＮＯの場合には、ステップＳ１０７において、第１検出部１１１は、識別情報ＪＤに基づいて、脇部６９又は頸部６１０が載置される装着部４０（＝第９装着部４０９又は第１０装着部４１０）に加熱冷却部２が装着されているか否かを判定する。
脇部６９又は頸部６１０が載置される装着部４０に加熱冷却部２が装着されていないと第１検出部１１１が判定した場合（ステップＳ１０７でＮＯ）には、処理が終了する。脇部６９又は頸部６１０が載置される装着部４０に加熱冷却部２が装着されていると第１検出部１１１が判定した場合（ステップＳ１０７でＹＥＳ）には、処理がステップＳ１０９に進む。
そして、ステップＳ１０９において、温度制御部１１３は、熱源２１１及び熱源２２１が吸熱するように制御し、処理が終了する。
【００４３】
以上、図１〜図５を参照して説明したように、本発明の実施形態では、足元部６１又は股部６３が載置される装着部４０に加熱冷却部２が装着されている場合には、熱源２１１及び熱源２２１が発熱するように制御する。すなわち、足元部６１又は股部６３は加熱される。また、脇部６９又は頸部６１０が載置される装着部４０に加熱冷却部２が装着されている場合には、熱源２１１及び熱源２２１が吸熱するように制御する。すなわち、脇部６９又は頸部６１０は冷却される。よって、ユーザが加熱するか冷却するかを選択する必要がない。したがって、ユーザの利便性を向上できる。
【００４４】
次に、図１〜図６を参照して、本発明の実施形態に係る制御部１の処理について説明する。図６は、制御部１の「第１処理」の別の一例を示すフローチャートである。
図６に示すように、まず、ステップＳ１５１において、第１検出部１１１がＩＣタグ７から識別情報ＪＤを取得する。
次に、ステップＳ１５３において、第１検出部１１１は、識別情報ＪＤに基づいて、脚部６２又は腕部６８が載置される装着部４０（＝第２装着部４０２又は第８装着部４０８）に加熱冷却部２が装着されているか否かを判定する。
脚部６２又は腕部６８が載置される装着部４０に加熱冷却部２が装着されていないと第１検出部１１１が判定した場合（ステップＳ１５３でＮＯ）には、処理がステップＳ１０７に進む。脚部６２又は腕部６８が載置される装着部４０に加熱冷却部２が装着されていると第１検出部１１１が判定した場合（ステップＳ１５３でＹＥＳ）には、処理がステップＳ１５５に進む。
そして、ステップＳ１５５において、温度制御部１１３は、熱源２１１及び熱源２２１が発熱するように制御し、処理が終了する。
【００４５】
ステップＳ１５３でＮＯの場合には、ステップＳ１５７において、第１検出部１１１は、識別情報ＪＤに基づいて、脇部６９、背中部６７又は腰部６５が載置される装着部４０（＝第９装着部４０９、第７装着部４０７又は第５装着部４０５）に加熱冷却部２が装着されているか否かを判定する。
脇部６９、背中部６７又は腰部６５が載置される装着部４０に加熱冷却部２が装着されていないと第１検出部１１１が判定した場合（ステップＳ１５７でＮＯ）には、処理が終了する。脇部６９、背中部６７又は腰部６５が載置される装着部４０に加熱冷却部２が装着されていると第１検出部１１１が判定した場合（ステップＳ１５７でＹＥＳ）には、処理がステップＳ１５９に進む。
そして、ステップＳ１５９において、温度制御部１１３は、熱源２１１及び熱源２２１が吸熱するように制御し、処理が終了する。
【００４６】
以上、図１〜図６を参照して説明したように、本発明の実施形態では、脚部６２又は腕部６８が載置される装着部４０に加熱冷却部２が装着されている場合には、熱源２１１及び熱源２２１が発熱するように制御する。すなわち、脚部６２又は腕部６８は加熱される。また、脇部６９、背中部６７又は腰部６５が載置される装着部４０に加熱冷却部２が装着されている場合には、熱源２１１及び熱源２２１が吸熱するように制御する。すなわち、脇部６９、背中部６７又は腰部６５は冷却される。よって、ユーザが加熱するか冷却するかを選択する必要がない。したがって、ユーザの利便性を向上できる。
【００４７】
本発明の実施形態では、脚部６２又は腕部６８は加熱され、脇部６９、背中部６７又は腰部６５は冷却されるが、人体６が乳幼児の体である場合には、以下のように制御することが好ましい。すなわち、人体６が乳幼児の体である場合には、手先及び足先ではなく、太もも又は二の腕を温めるほうが好ましい。また、人体６が乳幼児の体である場合には、脇、背中、腰などの胴体部分を冷やすほうが好ましい。よって、股部６３又は腕部６８は加熱され、脇部６９、背中部６７又は腰部６５が冷却されるように制御することが好ましい（図６参照）。
【００４８】
次に、図１〜図７を参照して、本発明の実施形態に係る制御部１の処理について説明する。図７は、制御部１の「第２処理」を示すフローチャートである。「第２処理」は、第２検出部１１２の検出結果に基づく処理を示す。なお、図７では、車両４に載置された人体６の体温ＴＢは、予め制御部１に入力されている。体温ＴＢは、例えば、３７℃である。
【００４９】
図７に示すように、まず、ステップＳ２０１において、第２検出部１１２が温度センサＳから外気温ＴＡを取得する。
次に、ステップＳ２０３において、温度制御部１１３は、外気温ＴＡが第１温度Ｔ１未満であるか否かを判定する。第１温度Ｔ１は、例えば、２６℃である。
外気温ＴＡが第１温度Ｔ１未満ではないと温度制御部１１３が判定した場合（ステップＳ２０３でＮＯ）には、処理がステップＳ２０９に進む。外気温ＴＡが第１温度Ｔ１未満であると温度制御部１１３が判定した場合（ステップＳ２０３でＹＥＳ）には、処理がステップＳ２０５に進む。
そして、ステップＳ２０５において、温度制御部１１３は、外気温ＴＡと体温ＴＢとに基づき、第２温度Ｔ２と第３温度Ｔ３とを決定する。第２温度Ｔ２は、加熱冷却板２１２及び加熱冷却板２２２の温度ＴＣの下限値を示し、第３温度Ｔ３は、加熱冷却板２１２及び加熱冷却板２２２の温度ＴＣの上限値を示す。第２温度Ｔ２は、例えば、例えば３５℃であり、第３温度Ｔ３は、例えば４０℃である。
次に、ステップＳ２０７において、温度制御部１１３は、加熱冷却板２１２及び加熱冷却板２２２の温度ＴＣが第２温度Ｔ２以上、且つ第３温度Ｔ３未満となるように制御し、処理が終了する。
【００５０】
ステップＳ２０３でＮＯの場合には、ステップＳ２０９において、温度制御部１１３は、外気温ＴＡと体温ＴＢとに基づき、第４温度Ｔ４と第５温度Ｔ５とを決定する。第４温度Ｔ４は、加熱冷却板２１２及び加熱冷却板２２２の温度ＴＣの下限値を示し、第５温度Ｔ５は、加熱冷却板２１２及び加熱冷却板２２２の温度ＴＣの上限値を示す。第４温度Ｔ４は、例えば、例えば２０℃であり、第５温度Ｔ５は、例えば２５℃である。
ステップＳ２１１において、温度制御部１１３は、加熱冷却板２１２及び加熱冷却板２２２の温度ＴＣが第４温度Ｔ４以上、且つ第５温度Ｔ５未満となるように制御し、処理が終了する。
【００５１】
以上、図１〜図７を参照して説明したように、本発明の実施形態では、外気温ＴＡの検出結果に応じて、熱源２１１及び熱源２２１を制御する。したがって、ユーザが所望するような加熱及び冷却を行うことが可能になる。
【００５２】
また、外気温ＴＡと人体６の体温ＴＢとに基づいて、第２温度Ｔ２と第３温度Ｔ３を決定する。そして、外気温ＴＡが第１温度Ｔ１（例えば、２６℃）未満である場合に、加熱冷却板２１２の温度ＴＣが第２温度Ｔ２以上、且つ第３温度Ｔ３未満になるように熱源２１１を制御する。また、加熱冷却板２２２の温度ＴＣが第２温度Ｔ２（例えば、３５℃）以上、且つ第３温度Ｔ３（例えば、４０℃）未満になるように熱源２２１を制御する。したがって、ユーザが所望するような加熱及び冷却を行うことができる。
【００５３】
更に、外気温ＴＡと人体６の体温ＴＢとに基づいて、第４温度Ｔ４と第５温度Ｔ５とを決定する。そして、外気温ＴＡが第１温度Ｔ１（例えば、２６℃）以上である場合に、加熱冷却板２１２の温度ＴＣが第４温度Ｔ４以上、且つ第５温度Ｔ５未満になるように熱源２１１を制御する。また、加熱冷却板２２２の温度ＴＣが第４温度Ｔ４（例えば、２０℃）以上、且つ第５温度Ｔ５（例えば、２５℃）未満になるように熱源２２１を制御する。したがって、ユーザが所望するような加熱及び冷却を行うことができる。
【００５４】
次に、図１〜図３及び図８〜図１１を参照して、加熱冷却装置１００を車両４に配置する場合の加熱冷却装置１００の形態について説明する。
【００５５】
＜第１実施形態＞
図７は、足元部６１が載置される装着部４０（＝第１装着部４０１）に配置された加熱冷却装置１００の一例を示す図である。図８に示すように、第１装着部４０１は、車両４の座面部４２において背もたれ部４１から離間する側に配置される。加熱冷却装置１００の第１加熱冷却部２１と第２加熱冷却部２２とは、人体６の左右の足を加熱及び冷却するように配置される。具体的には、第１加熱冷却部２１の加熱冷却板２１２と、第２加熱冷却部２２の加熱冷却板２２２とは、人体６の左右の足に接触するように、座面部４２において上向きに配置される。
【００５６】
制御部１は、車両４の座面部４２において第１加熱冷却部２１及び第２加熱冷却部２２に対して背もたれ部４１から離間する側に配置される。ＩＣタグ７１は、第１加熱冷却部２１と、第２加熱冷却部２２と、制御部１とで囲まれるように配置される。
【００５７】
第１加熱冷却部２１、第２加熱冷却部２２及び制御部１は、車両４の座面部４２に、例えば、面ファスナー（具体的には、マジックテープ（登録商標））で固定される。また、図１に示す蓄電池３は、例えば、座面部４２の下面に面ファスナー（具体的には、マジックテープ（登録商標））で固定される。
【００５８】
以上、図１〜図３及び図８を参照して説明したように、第１加熱冷却部２１と第２加熱冷却部２２とは、人体６の左右の足を加熱及び冷却するように配置されるため、人体６の左右の足を効率的に加熱及び冷却することができる。
【００５９】
また、制御部１がＩＣタグ７１に近接して配置されるため、制御部１はＩＣタグ７１から識別情報ＪＤ１を正確に読み取ることができる。
【００６０】
＜第２実施形態＞
図９は、股部６３が載置される装着部４０（＝第３装着部４０３）に配置された加熱冷却装置１００の一例を示す図である。図９に示すように、第１装着部４０１は、車両４の座面部４２において背もたれ部４１に近接する側に配置される。加熱冷却装置１００の第１加熱冷却部２１と第２加熱冷却部２２とは、人体６の左右の股（もも）を加熱及び冷却するように配置される。具体的には、第１加熱冷却部２１の加熱冷却板２１２と、第２加熱冷却部２２の加熱冷却板２２２とは、人体６の左右の股（もも）に接触するように上向きに配置される。
【００６１】
制御部１は、車両４の座面部４２において第１加熱冷却部２１及び第２加熱冷却部２２に対して背もたれ部４１に近接する側に配置される。ＩＣタグ７１は、第１加熱冷却部２１と、第２加熱冷却部２２と、制御部１とで囲まれるように配置される。
【００６２】
第１加熱冷却部２１、第２加熱冷却部２２及び制御部１は、車両４の座面部４２に、例えば、面ファスナー（具体的には、マジックテープ（登録商標））で固定される。また、図１に示す蓄電池３は、例えば、座面部４２の下面に面ファスナー（具体的には、マジックテープ（登録商標））で固定される。
【００６３】
以上、図１〜図３及び図９を参照して説明したように、第１加熱冷却部２１と第２加熱冷却部２２とは、人体６の左右の股（もも）を加熱及び冷却するように配置されるため、人体６の左右の股（もも）を効率的に加熱及び冷却することができる。
【００６４】
また、制御部１がＩＣタグ７１に近接して配置されるため、制御部１はＩＣタグ７１から識別情報ＪＤ３を正確に読み取ることができる。
【００６５】
＜第３実施形態＞
図１０は、脇部６９が載置される装着部４０（＝第９装着部４０９）に配置された加熱冷却装置１００の一例を示す図である。図１０に示すように、第９装着部４０９は、車両４の背もたれ部４１の略中央部に配置される。加熱冷却装置１００の第１加熱冷却部２１と第２加熱冷却部２２とは、人体６の左右の脇を加熱及び冷却するように配置される。具体的には、第１加熱冷却部２１の加熱冷却板２１２と、第２加熱冷却部２２の加熱冷却板２２２とは、人体６の左右の脇に接触するように、手前向きに配置される。
【００６６】
制御部１は、車両４の背もたれ部４１において第１加熱冷却部２１及び第２加熱冷却部２２に対して下側に配置される。ＩＣタグ７９は、第１加熱冷却部２１と、第２加熱冷却部２２と、制御部１とで囲まれるように配置される。
【００６７】
第１加熱冷却部２１、第２加熱冷却部２２及び制御部１は、車両４の背もたれ部４１に、例えば、面ファスナー（具体的には、マジックテープ（登録商標））で固定される。また、図１に示す蓄電池３は、例えば、座面部４２の下面に面ファスナー（具体的には、マジックテープ（登録商標））で固定される。
【００６８】
以上、図１〜図３及び図１０を参照して説明したように、第１加熱冷却部２１と第２加熱冷却部２２とは、人体６の左右の脇を加熱及び冷却するように配置されるため、人体６の左右の脇を効率的に加熱及び冷却することができる。
【００６９】
また、制御部１がＩＣタグ７６に近接して配置されるため、制御部１はＩＣタグ７６から識別情報ＪＤ６を正確に読み取ることができる。
【００７０】
＜第４実施形態＞
図１１は、頸部６１０が載置される装着部４０（＝第１０装着部４１０）に配置された加熱冷却装置１００の一例を示す図である。図１１に示すように、第８装着部４０８は、車両４の背もたれ部４１の上部に配置される。加熱冷却装置１００の第１加熱冷却部２１と第２加熱冷却部２２とは、人体６の首の左右を加熱及び冷却するように配置される。具体的には、第１加熱冷却部２１の加熱冷却板２１２と、第２加熱冷却部２２の加熱冷却板２２２とは、人体６の首の左右に接触するように、手前向きに配置される。
【００７１】
制御部１は、車両４の背もたれ部４１において第１加熱冷却部２１及び第２加熱冷却部２２に対して下側に配置される。ＩＣタグ７１０は、第１加熱冷却部２１と、第２加熱冷却部２２と、制御部１とで囲まれるように配置される。
【００７２】
第１加熱冷却部２１、第２加熱冷却部２２及び制御部１は、車両４の背もたれ部４１に、例えば、面ファスナー（具体的には、マジックテープ（登録商標））で固定される。また、図１に示す蓄電池３は、例えば、座面部４２の下面に面ファスナー（具体的には、マジックテープ（登録商標））で固定される。
【００７３】
以上、図１〜図３及び図１１を参照して説明したように、第１加熱冷却部２１と第２加熱冷却部２２とは、人体６の首の左右を加熱及び冷却するように配置されるため、人体６の首を効率的に加熱及び冷却することができる。
【００７４】
また、制御部１がＩＣタグ７８に近接して配置されるため、制御部１はＩＣタグ７８から識別情報ＪＤ８を正確に読み取ることができる。
【００７５】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７６】
（１）図１を参照して説明したように、加熱冷却装置１００が、第１加熱冷却部２１と第２加熱冷却部２２とを備えるが、本発明はこれに限定されない。加熱冷却装置１００が少なくとも１つの加熱冷却部を備えればよい。例えば、加熱冷却装置１００が１つの加熱冷却部だけを備えてもよいし、加熱冷却装置１００が３つ以上の加熱冷却部を備えてもよい。
【００７７】
（２）図１を参照して説明したように、第１加熱冷却部２１が、熱源２１１と、加熱冷却板２１２と、熱交換部２１３とを有するが、本発明はこれに限定されない。第１加熱冷却部２１が、熱源２１１と、加熱冷却板２１２とを有すればよい。すなわち、第１加熱冷却部２１が、熱交換部２１３を備えなくてもよい。
【００７８】
（３）図７〜図１０を参照して説明したように、加熱冷却装置１００が車両４に面ファスナーで固定されるが、本発明はこれに限定されない。制御部１及び加熱冷却部２が車両４に着脱自在に構成されればよい。例えば、制御部１及び加熱冷却部２が車両４にゴムバンドで固定されてもよい。
【産業上の利用可能性】
【００７９】
本発明は、人体の一部を加熱及び冷却する加熱冷却装置に関するものであり、産業上の利用可能性を有する。
【符号の説明】
【００８０】
１００    加熱冷却装置
１    制御部
１１    プロセッサ
１１１    第１検出部
１１２    第２検出部
１１３    温度制御部
１２    記憶部
１３    リーダ
２    加熱冷却部
２１    第１加熱冷却部
２１１    熱源
２１２    加熱冷却板
２１３    熱交換部
２２    第２加熱冷却部
２２１    熱源
２２２    加熱冷却板
２２３    熱交換部
３    蓄電池
４    車両
４０    装着部（装着箇所）
４０１    第１装着部
４０２    第２装着部
４０３    第３装着部
４０４    第４装着部
４０５    第５装着部
４０６    第６装着部
４０７    第７装着部
４０８    第８装着部
４０９    第９装着部
４１０    第１０装着部
４１    背もたれ部（着座部材の一部）
４２    座面部（着座部材の一部）
４４    手すり部
６    人体
６１    足元部
６２    脚部
６３    股部
６４    臀部
６５    腰部
６６    手元部
６７    背中部
６８    腕部
６９    脇部
６１０    頸部
７、７１〜７１０    ＩＣタグ
ＪＤ、ＪＤ１〜ＪＤ１０    識別情報
Ｓ    温度センサ
【図１】
2019141283.tif 000003
【図２】
2019141283.tif 000004
【図３】
2019141283.tif 000005
【図４】
2019141283.tif 000006
【図５】
2019141283.tif 000007
【図６】
2019141283.tif 000008
【図７】
2019141283.tif 000009
【図８】
2019141283.tif 000010
【図９】
2019141283.tif 000011
【図１０】
2019141283.tif 000012
【図１１】
2019141283.tif 000013